【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
ネットワークを介して複数の記憶装置と通信する管理装置であって、
前記複数の記憶装置のそれぞれが提供可能な記憶領域を仮想記憶領域として管理する管理手段と、
前記複数の記憶装置のうち少なくとも１つの記憶装置による前記仮想記憶領域として管理される記憶領域の提供を中止するための中止要求を検出する検出手段と、
前記中止要求している記憶装置により前記仮想記憶領域として提供されている記憶領域に代えて、他の記憶装置の記憶領域の提供が可能か否かを判定する判定手段と、
前記検出手段が前記中止要求を検出し、かつ前記判定手段が提供可能と判定した場合には、前記中止要求している記憶装置に対して記憶領域の提供を中止するよう制御し、前記検出手段が前記中止要求を検出し、かつ前記判定手段が提供可能でないと判定した場合には、前記中止要求している記憶装置に対して記憶領域の提供を継続するよう制御する制御手段と、
を有することを特徴とする管理装置。
【請求項２】
前記複数の記憶装置のそれぞれは、前記複数の記憶装置の全てが前記仮想記憶領域として管理される記憶領域の提供をしている場合に前記仮想記憶領域として使用される使用領域と、前記複数の記憶装置のうち少なくとも１つの記憶装置が前記仮想記憶領域として管理される記憶領域の提供を中止した場合に前記仮想記憶領域として使用可能な予備領域とを有することを特徴とする請求項１に記載の管理装置。
【請求項３】
前記判定手段が提供可能と判定した場合に、前記中止要求している記憶装置により前記仮想記憶領域として提供されている記憶領域に記憶されているデータを前記他の記憶装置の前記予備領域に転送するように指示する指示手段を更に有し、
前記制御手段は、前記データの転送が終了してから前記中止要求している記憶装置に対して記憶領域の提供を中止するよう制御することを特徴とする請求項２に記載の管理装置。
【請求項４】
前記判定手段は、
前記中止要求している記憶装置により前記仮想記憶領域として提供されている記憶領域の容量が前記他の記憶装置の前記予備領域の容量以下である場合には、提供可能であると判定し、
前記中止要求している記憶装置により前記仮想記憶領域として提供されている記憶領域の容量が前記他の記憶装置の前記予備領域の容量よりも大きい場合には、提供可能でないと判定することを特徴とする請求項２又は３に記載の管理装置。
【請求項５】
前記複数の記憶装置の数に応じて、前記使用領域と前記予備領域との割合を設定する設定手段を更に有することを特徴とする請求項２乃至４のいずれか１項に記載の管理装置。
【請求項６】
前記複数の記憶装置を、前記提供可能な記憶領域の容量が同じ又は類似する記憶装置ごとにグループ化するグループ化手段を更に有し、
前記判定手段は、前記中止要求している記憶装置により前記仮想記憶領域として提供されている記憶領域に代えて、当該記憶装置が属するグループの他の記憶装置の予備領域の提供が可能か否かを判定することを特徴とする請求項２乃至５のいずれか１項に記載の管理装置。
【請求項７】
複数の記憶装置と、管理装置とを備えるシステムであって、
前記管理装置は、
前記複数の画像形成装置のそれぞれが提供可能な記憶領域を仮想記憶領域として管理する管理手段と、
前記複数の記憶装置のうち少なくとも１つの記憶装置による前記仮想記憶領域として管理される記憶領域の提供を中止するための中止要求を検出する検出手段と、
前記中止要求している記憶装置により前記仮想記憶領域として提供されている記憶領域に代えて、他の記憶装置の記憶領域の提供が可能か否かを判定する判定手段と、
前記検出手段が前記中止要求を検出し、かつ前記判定手段が提供可能と判定した場合には、前記中止要求している記憶装置に対して記憶領域の提供を中止するよう制御し、前記検出手段が前記中止要求を検出し、かつ前記判定手段が提供可能でないと判定した場合には、前記中止要求している記憶装置に対して記憶領域の提供を継続するよう制御する制御手段と、
を有することを特徴とするシステム。
【請求項８】
ネットワークを介して複数の記憶装置と通信する管理装置の制御方法であって、
前記複数の記憶装置のそれぞれが提供可能な記憶領域を仮想記憶領域として管理する管理ステップと、
前記複数の記憶装置のうち少なくとも１つの記憶装置による前記仮想記憶領域として管理される記憶領域の提供を中止するための中止要求を検出する検出ステップと、
前記中止要求している記憶装置により前記仮想記憶領域として提供されている記憶領域に代えて、他の記憶装置の記憶領域の提供が可能か否かを判定する判定ステップと、
前記検出ステップにおいて前記中止要求を検出し、かつ前記判定ステップにおいて提供可能と判定した場合には、前記中止要求している記憶装置に対して記憶領域の提供を中止するよう制御し、前記検出ステップにおいて前記中止要求を検出し、かつ前記判定ステップにおいて提供可能でないと判定した場合には、前記中止要求している記憶装置に対して記憶領域の提供を継続するよう制御する制御ステップと、
を有することを特徴とする制御方法。
【請求項９】
ネットワークを介して複数の記憶装置と通信する管理装置の制御方法をコンピュータに実行させるためのプログラムであって、
前記コンピュータに、
前記複数の記憶装置のそれぞれが提供可能な記憶領域を仮想記憶領域として管理する管理ステップと、
前記複数の記憶装置のうち少なくとも１つの記憶装置による前記仮想記憶領域として管理される記憶領域の提供を中止するための中止要求を検出する検出ステップと、
前記中止要求している記憶装置により前記仮想記憶領域として提供されている記憶領域に代えて、他の記憶装置の記憶領域の提供が可能か否かを判定する判定ステップと、
前記検出ステップにおいて前記中止要求を検出し、かつ前記判定ステップにおいて提供可能と判定した場合には、前記中止要求している記憶装置に対して記憶領域の提供を中止するよう制御し、前記検出ステップにおいて前記中止要求を検出し、かつ前記判定ステップにおいて提供可能でないと判定した場合には、前記中止要求している記憶装置に対して記憶領域の提供を継続するよう制御する制御ステップと、
を実行させることを特徴とするプログラム。
【手続補正２】
【補正対象書類名】明細書
【補正対象項目名】発明の名称
【補正方法】変更
【補正の内容】
【発明の名称】管理装置、システム、制御方法及びプログラム
【手続補正３】
【補正対象書類名】明細書
【補正対象項目名】０００１
【補正方法】変更
【補正の内容】
【０００１】
本発明は、管理装置、システム、制御方法及びプログラムに関する。
【手続補正４】
【補正対象書類名】明細書
【補正対象項目名】００１１
【補正方法】変更
【補正の内容】
【００１１】
上記目的を達成するために、本発明の一側面としての管理装置は、ネットワークを介して複数の記憶装置と通信する管理装置であって、前記複数の記憶装置のそれぞれが提供可能な記憶領域を仮想記憶領域として管理する管理手段と、前記複数の記憶装置のうち少なくとも１つの記憶装置による前記仮想記憶領域として管理される記憶領域の提供を中止するための中止要求を検出する検出手段と、前記中止要求している記憶装置により前記仮想記憶領域として提供されている記憶領域に代えて、他の記憶装置の記憶領域の提供が可能か否かを判定する判定手段と、前記検出手段が前記中止要求を検出し、かつ前記判定手段が提供可能と判定した場合には、前記中止要求している記憶装置に対して記憶領域の提供を中止するよう制御し、前記検出手段が前記中止要求を検出し、かつ前記判定手段が提供可能でないと判定した場合には、前記中止要求している記憶装置に対して記憶領域の提供を継続するよう制御する制御手段と、を有することを特徴とする。